(57)【要約】【課題】製品の美観が向上されると共に、最終ユーザによりスリーブ及び光レセプタクルが容易に取り外されることのない光通信用モジュールの提供。【解決手段】光通信用モジュールは、光ケーブルの先端の光プラグが装着されるスリーブ４が先端に取り付けられ光電変換機能を担う部品が実装されたモジュール本体２と、開口３ａが設けられ該開口を通してスリーブ４が外部に露出するようにモジュール本体２を覆うフロントカバー３と、スリーブ４の周囲に設けられ開口と連通する光レセプタクル５とを有するものであって、フロントカバー３とは別体に構成された固定部材８を有し、フロントカバー３により覆われる大ネジ１０により固定部材８とモジュール本体２が固定されることによって、固定部材８とモジュール本体２との間で光レセプタクル５が挟持される。【選択図】図５
2014016399.tif 000002
【特許請求の範囲】
【請求項１】
光ケーブルの先端の光プラグが装着されるスリーブが先端に取り付けられ光電変換機能を担う部品が実装されたモジュール本体と、開口が設けられ該開口を通して前記スリーブが外部に露出するように前記モジュール本体を覆うフロントカバーと、前記スリーブの周囲に設けられ前記開口と連通する光レセプタクルとを有する光通信用モジュールであって、
前記フロントカバーとは別体に構成された固定部材を有し、
前記フロントカバーにより覆われるネジにより前記固定部材と前記モジュール本体が固定されることによって、前記固定部材と前記モジュール本体との間で前記光レセプタクルが挟持されることを特徴とする光通信用モジュール。
【請求項２】
前記フロントカバーは、当該フロントカバーの前記開口が形成された面と異なる面に形成された孔に挿通されたネジにより、前記モジュール本体に対して固定されることを特徴とする請求項１に記載の光通信用モジュール。
【請求項３】
前記孔に挿通されたネジと螺合するネジ穴が前記固定部材に形成されていることを特徴とする請求項２に記載の光通信用モジュール。
【発明の詳細な説明】
【技術分野】
【０００１】
本発明は、光電変換機能を有する光通信用モジュールに関する。
【背景技術】
【０００２】
図８は、従来の光通信用モジュールの一例を説明する図であり（例えば、特許文献１参照）、図８（Ａ）は全体斜視図、図８（Ｂ）は、図８（Ａ）のＸ−Ｘ断面図である。
図８（Ａ）の光通信用モジュール１００は、光電変換機能を担う各種部品が実装されたモジュール本体１０１を有し、該モジュール本体１０１の前面には、開口１０２ａが形成されたフロントカバー１０２が設けられている。
【０００３】
また、モジュール本体１０１の前面側には、図８（Ｂ）に示すように、光ケーブルの先端の光プラグが挿着されるスリーブ１０３が設けられており、また、該スリーブ１０３の周囲には、フロントカバー１０２の開口１０２ａと連通する光レセプタクル１０４が設けられている。光レセプタクル１０４は、光ケーブルの光プラグを受容し上述のスリーブ１０３に該光プラグをガイドする。
これらスリーブ１０３及び光レセプタクル１０４のモジュール本体１０１への取り付けは、フロントカバー１０２を貫通するネジ１０５で、該フロントカバー１０２の両端をモジュール本体１０１に対して前面側からネジ止めし、中央付近でモジュール本体１０１とフロントカバー１０２との間で挟持することで行われる。
【先行技術文献】
【特許文献】
【０００４】
【特許文献１】特開２０１１−２３７６９９号公報
【発明の概要】
【発明が解決しようとする課題】
【０００５】
しかしながら、上述のスリーブ１０３及び光レセプタクル１０４の取り付け方法では、ネジ１０５のネジ頭が、前面側に露出しており、最終ユーザから直接見えてしまう。そのため、製品の美観を損ねるとともに、最終ユーザが容易にネジにアクセスできるので、誤ってネジ１０５が緩められたり外されたりする危険性がある。
【０００６】
本発明は、上述のごとき実情に鑑みてなされたもので、製品の美観が向上されると共に、最終ユーザによりスリーブ及び光レセプタクルが容易に取り外されることのない光通信用モジュールを提供することをその目的とする。
【課題を解決するための手段】
【０００７】
本発明の光通信用モジュールは、光ケーブルの先端の光プラグが装着されるスリーブが先端に取り付けられ光電変換機能を担う部品が実装されたモジュール本体と、開口が設けられ該開口を通してスリーブが外部に露出するようにモジュール本体を覆うフロントカバーと、スリーブの周囲に設けられ上記開口と連通する光レセプタクルとを有するものであって、フロントカバーとは別体に構成された固定部材を有し、フロントカバーにより覆われるネジにより固定部材とモジュール本体が固定されることによって、固定部材とモジュール本体との間で光レセプタクルが挟持されることを特徴とする。
【０００８】
フロントカバーが、当該フロントカバーの開口が形成された面と異なる面に形成された孔に挿通されたネジにより、モジュール本体に対して固定される構成であってもよく、また、上記孔に挿通されたネジと螺合するネジ穴が固定部材に形成されている構成であってもよい。
【発明の効果】
【０００９】
本発明の光通信用モジュールは、フロントカバーとは別体の固定部材をモジュール本体にネジ止めすることにより、該固定部材とモジュール本体との間で、光レセプタクルを挟持するようにするとともに、ネジも含めた固定部材全体をフロントカバーで覆うようにしたので、美しい外観となっている。また、ネジが前面側に露出していないため、最終ユーザが容易にネジにアクセスできないので、誤ってネジを緩められたり外されたりする危険性がなく、スリーブ及び光レセプタクルが容易に取り外されることがない。
【図面の簡単な説明】
【００１０】
【図１】本発明の光通信用モジュールの一例を説明する図である。
【図２】本発明の光通信用モジュールの一例を説明する他の図である。
【図３】図１及び図２の光通信用モジュールの内部の様子を示す図である。
【図４】図１及び図２の光通信用モジュールの内部の様子を示す他の図である。
【図５】図１及び図２の光通信用モジュールのＡ−Ａ断面図である。
【図６】図１及び図２の光通信用モジュールのＢ−Ｂ断面図である。
【図７】固定部材の一例を説明する図である。
【図８】従来の光通信用モジュールの一例を説明する図である。
【発明を実施するための形態】
【００１１】
図により、本発明の光通信用モジュールの好適な実施形態としての光トランシーバについて詳細に説明する。
図１（Ａ）は、本発明の光通信用モジュールの一例である光トランシーバを前方上から見た様子を示し、図１（Ｂ）は、正面から見た様子を示し、図２は、後方下から見た様子を示している。
【００１２】
図１（Ａ）に示す光トランシーバ（光通信用モジュール）１は、信号光の光電変換機能及び送受信機能を有するもので、光電変換機能を担う各種部品がハウジング２ａ内に実装されて成るモジュール本体２を備える。ハウジング２ａは、例えば、１２８ｍｍ×７２ｍｍ×１４ｍｍのサイズを有し、アルミダイキャスト製のベースハウジング２ｂ及びカバーハウジング２ｃから成る。
【００１３】
モジュール本体２の前方には、その略中央に開口３ａが形成されたフロントカバー３が設けられている。フロントカバー３は、例えば、開口３ａを有するフレーム３ｂの周囲に、ＥＭＩ（Electro-Magnetic Interference）フィンガ３ｃを取り付けて成る。なお、フレーム３ｂ及びＥＭＩフィンガ３ｃは共に金属製である。
【００１４】
また、モジュール本体２の前面側には、光ケーブルの先端の光プラグが挿着されるスリーブ４が、フロントカバー３の開口３ａを通して外部に露出するように設けられており、また、該スリーブ４の周囲には、図１（Ｂ）に示すように、フロントカバー３の開口３ａと連通する光レセプタクル５が設けられている。光レセプタクル５は、光ケーブルの光プラグを受容し上述のスリーブ４に該光プラグをガイドするためのものであり、例えば、樹脂材料により形成されて成る。
【００１５】
フロントカバー３の両側部からは、長ネジ６のノブ６ａが突き出ている。長ネジ６は、フロントカバー３側から、モジュール本体２の内部を貫通して、図２に示すように、モジュール本体２の後端から突き出す。長ネジ６の後端部６ｂには、ねじが切られている。この後端部６ｂがホスト装置（図示せず）上に設けられた電気コネクタの両側部にある雌ねじに螺合されることにより、光トランシーバ１がホスト装置に対して固定される。
【００１６】
また、光トランシーバ１は、その後方に、例えば、多数の電極パッドを有する電気プラグ７を備え、当該光トランシーバ１がホスト装置に対して固定されるときに、電気プラグ７がホスト装置の電気コネクタに係合するようになっている。
【００１７】
図３は、図１及び図２の光トランシーバ１のフロントカバー３及び後述の固定部材８を取り付ける前の状態を部分拡大して示す斜視図、図４は、図３の状態から固定部材８を取り付けたときの様子を部分拡大して示す斜視図である。
光トランシーバ１は、図３に示すように、スリーブ４及び光レセプタクル５をモジュール本体２に固定するための固定部材８を左右に１つずつ用意される。なお、該固定部材８は、フロントカバー３とは別体となっている。
【００１８】
固定部材８のモジュール本体中心寄り端部には、光レセプタクル部材５をモジュール本体２に押し付けるための押さえ部８ａが後方に突出するように形成され、反対側の端部の上下には、Ｍ１．２ネジである小ネジ９が螺合する小ネジ穴８ｂが形成されている。
また、固定部材８の正面中央には、Ｍ２ネジである大ネジ１０が挿通される挿通孔８ｃが形成されている。
【００１９】
上述の固定部材８が取り付けられるモジュール本体２には、より具体的には、ベースハウジング２ｂには、固定部材８に対応した形状に凹む溝２ｄが形成されており、該溝２ｄには、大ネジ１０が螺合する大ネジ穴２ｅが形成されている。
ベースハウジング２ｂの溝２ｄに左右の固定部材８を嵌め込み、該固定部材８の挿通孔を通した大ネジ１０とベースハウジング２ｂの大ネジ穴２ｅとを用いてをネジ止めすることにより、固定部材８はベースハウジング２ｂに対して取り付けられる。
【００２０】
図４に示すように、固定部材８がベースハウジング２ｂに対して取り付けられている状態でも、固定部材８の小ネジ穴８ｂは上下に露出している。フロントカバー３の小ネジ穴８ｂに対応する位置に孔３ｄが形成されており、該孔３ｄを通した小ネジ９と小ネジ穴８ｂとを用いてネジ止めすることにより、フロントカバー３は、ベースハウジング２ｂに対して固定される。フロントカバー３は、正面にネジ山を有する大ネジ１０を覆うようにして固定されるため、光トランシーバ１の正面からいずれのネジも露出していない（図２参照）。
【００２１】
図５は、図１及び図２の光トランシーバ１のＡ−Ａ断面図であり、固定部材８及びフロントカバー３がベースハウジング２ｂに固定された状態の光トランシーバ１の内部の様子を示している。
光トランシーバ１では、図５に示すように、固定部材８の押さえ部８ａの後端面８ｄが、光レセプタクル５の前側端面５ａと当接し、該光レセプタクルをベースハウジング２ｂ方向に押している。また、これにより、光レセプタクル５の後側端面５ｂでスリーブ４のフランジ部４ａをベースハウジング２ｂに押し付けている。このようにして、追加部材８とベースハウジング２ｂとの間で、スリーブ４と光レセプタクル５を挟持している。
【００２２】
以上のように、光トランシーバ１では、フロントカバー３とは別体の追加部材８をベースハウジング２ｂに大ネジ１０でネジ止めすることにより、該追加部材８とベースハウジング２ｂとの間で、スリーブ４と光レセプタクル５を挟持するようにするとともに、大ネジ１０をフロントカバー３で覆うようにしたので、美しい外観となっている。また、大ネジ１０が前面側に露出していないため、最終ユーザが容易に大ネジ１０にアクセスできないので、誤ってネジを緩められたり外されたりする危険性がなく、スリーブ４及び光レセプタクル６が容易に取り外されることがない。
【００２３】
図６は、図１及び図２の光トランシーバ１のＢ−Ｂ断面図であり、フロントカバー３の取り付け状態を示している。
前述のように、ベースハウジング２ｂに対して固定部材８が取り付けられている。この固定部材８に対して、図６に示すように、フロントカバー３は固定される。より具体的には、フロントカバー３の上下の孔３ｄを挿通された小ネジ９と固定部材８の小ネジ穴８ｂとが螺合されることより、フロントカバー３は、ベースハウジング２ｂに対して固定される。
【００２４】
固定部材８について、図３及び図４を参照し、図７を用いて、詳細に説明する。図７（Ａ）及び図７（Ｂ）はそれぞれ、固定部材８の前方斜視図及び後方斜視図、図７（Ｃ）及び図７（Ｄ）はそれぞれ、同上面図及び同下面図である。
【００２５】
図７の固定部材８は、正面視Ｔ字状の形状を有し、例えば、アルミダイキャスト製である。Ｔ字の横棒の両端に相当する部分には、小ネジ９と螺合する小ネジ穴８ｂが形成されており、また、Ｔ字の縦棒の下端に相当する部分には、光レセプタクル部材５を固定するための押さえ部８ａが後方に突出するように形成されている。また、固定部材８のＴ字の縦棒の中央に相当する部分には、大ネジ１０が挿通される挿通孔８ｃが形成される、該挿通孔８ｃの周囲には、大ネジ１０のネジ頭を収容する凹み８ｅが形成されている。
【００２６】
なお、固定部材８は、正面視Ｔ字状の形状に限定されるものではなく、上述の小ネジ穴８ｂ及び挿通孔８ｃに相当するものが形成されていれば、その形状は問わない。
また、上述の例と異なり、小ネジが螺合する小ネジ穴が、ベースハウジングに形成され、該小ネジ穴と小ネジにより、フロントカバーをベースハウジングすなわちモジュール本体に固定する形態であってもよい。
【符号の説明】
【００２７】
１…光通信用モジュール（光トランシーバ）、２…モジュール本体、３…フロントカバー、３ａ…開口、３ｄ…孔、４…スリーブ、５…光レセプタクル、６…長ネジ、８…固定部材、８ｂ…小ネジ穴、９…小ネジ、１０…大ネジ。
【図１】
2014016399.tif 000003
【図２】
2014016399.tif 000004
【図３】
2014016399.tif 000005
【図４】
2014016399.tif 000006
【図５】
2014016399.tif 000007
【図６】
2014016399.tif 000008
【図７】
2014016399.tif 000009
【図８】
2014016399.tif 000010